(57)【特許請求の範囲】
【請求項１】
(a)  導電部材によって囲繞され、一方向に延伸する収納空間を有する収納部と、
(b)  前記収納部の前記収納空間側に固定され、前記一方向に延伸する袋状部材と、
を備え、
前記袋状部材は、絶縁樹脂によって形成されており、
複数の信号線は、前記袋状部材の内側に挿通されることを特徴とするハーネスカバー。
【請求項２】
請求項１に記載のハーネスカバーにおいて、
前記袋状部材は、２枚のシート材を有し、
前記シート材は、前記一方向に沿って設けられた複数の突起部を有するとともに、前記複数の突起部のそれぞれが、前記収納空間に面する内壁に設けられた孔部のうち対応する孔部に挿入されることにより、前記収納部の前記収納空間側に固定され、
前記複数の信号線は、前記２枚のシート材に挟まれた空間に挿通されることを特徴とするハーネスカバー。
【請求項３】
(a)  板材であり、一方向に延伸する溝部を有する第１導電部材と、
(b)  板材であり、前記溝部の開口を閉鎖するように前記第１導電部材に取り付けられる第２導電部材と、
(c)  前記溝部に固定されており、前記一方向に延伸する袋状部材と、
を備え、
前記袋状部材は、絶縁樹脂によって形成されており、
複数の信号線は、前記袋状部材の内側に挿通されて配線されることを特徴とするハーネスカバー。
【請求項４】
請求項３に記載のハーネスカバーにおいて、
前記袋状部材は、２枚のシート材を有し、
前記シート材は、前記一方向に沿って設けられた複数の突起部を有するとともに、前記複数の突起部のそれぞれが、前記溝部の内壁に設けられた孔部のうち対応する孔部に挿入されることにより、前記溝部に固定され、
前記複数の信号線は、前記２枚のシート材に挟まれた空間に配線されることを特徴とするハーネスカバー。
【請求項５】
本体に設けられており、静電潜像に基づいたトナー画像を記録紙に記録する画像形成部と、
前記本体の上方に前記本体に対して回動可能に設けられており、原稿からの画像データを読み取る画像入力部と、
前記本体に設けられており、前記画像形成部および前記画像入力部の動作を制御する制御部と、
請求項１ないし請求項４のいずれかに記載のハーネスカバーと、
を備え、
前記ハーネスカバーは、前記画像入力部側に設けられており、
前記複数の信号線は、前記画像入力部と前記制御部とを電気的に接続することを特徴とする画像形成装置。
【請求項６】
請求項５に記載の画像形成装置において、
前記画像入力部の前面側部には、使用者からの入力を可能とする操作部が設けられており、
前記画像入力部の回動軸は、前後方向と略平行であり、
前記制御部は、前記画像形成部から見て後ろ側に設けられており、
前記ハーネスカバーは、前記一方向が前後方向と略平行となり、かつ、前記回動軸付近となるように、前記画像入力部の下面に設けられており、
前記複数の信号線は、少なくとも、前記操作部と前記制御部とを電気的に接続することを特徴とする画像形成装置。
【発明の詳細な説明】
【技術分野】
【０００１】
本発明は、画像形成装置に関するもので、特に、信号線の配線手法の改良に関する。
【背景技術】
【０００２】
従来より、各ハーネスを同一の溝部に配置する場合において、電磁ノイズの発生しやすい原稿送りモータ接続用のハーネスと、画像読取センサ接続用のハーネスとの間に、スペーサ部材を配置する技術が知られている（例えば、特許文献１）。
【０００３】
また、専用の掛止部品を使用することなくハーネスを掛止し、断線の防止と作業性の向上を可能とする技術についても、従来より知られている（例えば、特許文献２）。
【０００４】
【特許文献１】特開平１０−１５０５１５号公報
【特許文献２】特開２００３−２０４４０９号公報
【発明の開示】
【発明が解決しようとする課題】
【０００５】
しかし、特許文献１の溝部や特許文献２のハーネス受け部が金属部材によって形成されている場合、ハーネスは、この金属部材を伝わる静電ノイズの影響を受けて、良好に信号を伝達できない場合が生ずる。その結果、画像形成装置が正しく動作しないといった問題も生ずる。
【０００６】
そこで、本発明では、電気的なノイズの影響を低減することができるハーネスカバーおよび画像形成装置を提供することを目的とする。
【課題を解決するための手段】
【０００７】
上記課題を解決するため、請求項１の発明は、導電部材によって囲繞され、一方向に延伸する収納空間を有する収納部と、前記収納部の前記収納空間側に固定され、前記一方向に延伸する袋状部材と、を備え、前記袋状部材は、絶縁樹脂によって形成されており、複数の信号線は、前記袋状部材の内側に挿通されることを特徴とする。
【０００８】
また、請求項２の発明は、請求項１に記載のハーネスカバーにおいて、前記袋状部材は、２枚のシート材を有し、前記シート材は、前記一方向に沿って設けられた複数の突起部を有するとともに、前記複数の突起部のそれぞれが、前記収納空間に面する内壁に設けられた孔部のうち対応する孔部に挿入されることにより、前記収納部の前記収納空間側に固定され、前記複数の信号線は、前記２枚のシート材に挟まれた空間に挿通されることを特徴とする。
【０００９】
また、請求項３の発明は、板材であり、一方向に延伸する溝部を有する第１導電部材と、板材であり、前記溝部の開口を閉鎖するように前記第１導電部材に取り付けられる第２導電部材と、前記溝部に固定されており、前記一方向に延伸する袋状部材と、を備え、前記袋状部材は、絶縁樹脂によって形成されており、複数の信号線は、前記袋状部材の内側に挿通されて配線されることを特徴とする。
【００１０】
また、請求項４の発明は、請求項３に記載のハーネスカバーにおいて、前記袋状部材は、２枚のシート材を有し、前記シート材は、前記一方向に沿って設けられた複数の突起部を有するとともに、前記複数の突起部のそれぞれが、前記溝部の内壁に設けられた孔部のうち対応する孔部に挿入されることにより、前記溝部に固定され、前記複数の信号線は、前記２枚のシート材に挟まれた空間に配線されることを特徴とする。
【００１１】
また、請求項５の発明は、本体に設けられており、静電潜像に基づいたトナー画像を記録紙に記録する画像形成部と、前記本体の上方に前記本体に対して回動可能に設けられており、原稿からの画像データを読み取る画像入力部と、前記本体に設けられており、前記画像形成部および前記画像入力部の動作を制御する制御部と、請求項１ないし請求項４のいずれかに記載のハーネスカバーと、を備え、前記ハーネスカバーは、前記画像入力部側に設けられており、前記複数の信号線は、前記画像入力部と前記制御部とを電気的に接続することを特徴とする。
【００１２】
また、請求項６の発明は、請求項５に記載の画像形成装置において、前記画像入力部の前面側部には、使用者からの入力を可能とする操作部が設けられており、前記画像入力部の回動軸は、前後方向と略平行であり、前記制御部は、前記画像形成部から見て後ろ側に設けられており、前記ハーネスカバーは、前記一方向が前後方向と略平行となり、かつ、前記回動軸付近となるように、前記画像入力部の下面に設けられており、前記複数の信号線は、少なくとも、前記操作部と前記制御部とを電気的に接続することを特徴とする。
【発明の効果】
【００１３】
請求項１、請求項２、請求項５、および請求項６に記載の発明によれば、導電部材に囲繞された収納空間に、絶縁樹脂によって形成された袋状部材が固定されており、この袋状部材の内側に複数の信号線を挿通することができる。
【００１４】
また、請求項３ないし請求項６に記載の発明によれば、第１電導部材の溝部に、絶縁樹脂によって形成された袋状部材が固定されており、この袋状部材の内側に複数の信号線を挿通することができる。
【００１５】
これにより、例えば導電部材を伝わる静電ノイズは、袋状部材によって遮断される。そのため、ハーネスカバーに配線された複数の信号線は、静電ノイズの影響を受けず、良好に信号を伝達することができる。
【００１６】
特に、請求項５に記載の発明によれば、複数の信号線は、請求項１ないし請求項４のいずれかに記載のハーネスカバーに配線されている。したがって、例えば、画像入力部または画像形成部で発生した静電ノイズが導電材料に伝わった場合であっても、袋状部材によって静電ノイズの影響を低減することができる。そのため、複数の信号線によって電気信号を良好に伝達することができ、画像形成装置１の動作を良好に制御することができる。
【００１７】
特に、請求項６に記載の発明によれば、回動軸付近に複数の信号線を配線することができ、各信号線の長さを短く設定することができる。そのため、静電ノイズの影響をさらに低減することができる。
【発明を実施するための最良の形態】
【００１８】
以下、図面を参照しつつ本発明の実施の形態について詳細に説明する。
【００１９】
＜１．画像形成装置の構成＞
図１は、本発明の実施の形態における画像形成装置１の全体構成の一例を示す斜視図である。図２は、画像入力部２０を開放した状態の一例を示す斜視図である。図３は、画像入力部２０に設けられた枠体６９の構成の一例を示す斜視図である。なお、図１およびそれ以降の図には、方向関係を明確にするため、上下方向、前後方向、および左右方向を示す座標軸を付している。
【００２０】
画像形成装置１は、スキャナ、プリンタ、複写機、ファクシミリ、またはこれらの機能を複合させた複合機である。図１および図２に示すように、画像形成装置１は、主として、原稿押さえ部１０と、画像入力部２０と、記録部３０と、給紙部４０と、操作パネル５０と、制御部９０と、を備えており、これらのうち記録部３０、給紙部４０、および制御部９０は、画像形成装置１の本体部５に設けられている。また、図２に示すように、記録部３０および制御部９０は、それぞれ本体部５のユニット室６ａ、６ｂに設けられている。
【００２１】
原稿押さえ部１０は、画像入力部２０の上方に設けられており、図１に示すように、主として、原稿搬送部１１と、押さえ部材１２、１３と、を備える。ここで、図１に示すように、画像入力部２０と隣接して設けられた取付部１５の上面と、原稿押さえ部１０の下面とは、複数（本実施の形態では２つ）のヒンジ１６によって連結されている。したがって、原稿押さえ部１０は、左右方向と略平行な回動軸１６ａを中心に回動し、画像入力部２０に対して開閉可能に設けられている。
【００２２】
原稿搬送部１１は、図１に示すように、原稿押さえ部１０の左側上部であって、原稿ガラス２２の直上に設けられている。原稿搬送部１１は、自動給紙（ＡＤＦ：Automatic Document Feeder）方式により、原稿の表面または裏面で反射された反射光を画像入力部２０に読み取らせることができる。
【００２３】
押さえ部材１２は、原稿押さえ部１０が閉じられた状態において、原稿と原稿ガラス２２との距離を規制する板状部材である。押さえ部材１２は、コイルバネや板バネ等の弾性部材（図示省略）によって下向き（原稿搬送部１１から見て押さえ部材１２側の方向）に付勢されている。これにより、押さえ部材１２は、押さえ部材１２と原稿ガラス２２との間で原稿を良好に搬送させることができ、自動給紙方式による画像データの読み取りを良好に実行させることができる。
【００２４】
押さえ部材１３は、原稿押さえ部１０が閉じられた状態において、原稿ガラス２３に載置された原稿を押圧する部材である。これにより、押さえ部材１３は、原稿ガラス２３に対して原稿を良好に密着させることができ、フラットベッド（Flat Bed）方式による画像データの読み取りを良好に実行させることができる。
【００２５】
画像入力部２０は、フラットベッド方式またはＡＤＦ方式により、原稿からの画像データを読み取るスキャナ部である。図１に示すように、画像入力部２０は、蓋部２１ａと、筐体２１ｂと、を有している。また、蓋部２１ａおよび筐体２１ｂは、横断面が略矩形の箱体であり、画像入力部２０の内側には、内部空間２５が形成される。
【００２６】
ここで、図２に示すように、画像入力部２０と本体部５との間には、導電部材で形成されたヒンジ３６が取り付けられている。すなわち、本体部５の上面左方にはヒンジ３６の下側取付板３６ａが、枠体６９の支持部材６３には上側取付板３６ｂ（第２導電部材）が、それぞれ取り付けられており、画像入力部２０と本体部５とは、ヒンジ３６によって連結されている。したがって、画像入力部２０は、前後方向と略平行な回動軸３６ｃを中心に回動し、本体部５に対して開閉可能に設けられている。
【００２７】
蓋部２１ａには、図１に示すように、板状の原稿ガラス２２、２３が設けられている。原稿ガラス２２は、原稿搬送部１１によって搬送される原稿で反射された光を透過する。また、原稿ガラス２３は、その上に載置された原稿で反射された光を透過する。
【００２８】
一方、筐体２１ｂは、その外枠が難燃性樹脂によって形成されるとともに、導電部材によって形成された枠体６９（図３参照）によって補強されている。図１に示すように、筐体２１ｂには、主として、キャリッジ２６ａ、２６ｂと、受光部２７と、インバータ２８と、が設けられている。
【００２９】
ここで、枠体６９は、図３に示すように、主として、支持部材６１、６３と、２本の摺動部材６２と、を有しており、支持部材６１、６３は、略平行に配置された２本の摺動部材６２に溶接されている。また、各部材６１〜６３は、導電部材、例えば、板金のような金属の板材が曲げ加工されることによって形成されている。
【００３０】
なお、図３は、画像入力部２０が開放された場合における枠体６９の姿勢を図示したものである。したがって、図３に記載された摺動部材６２の延伸方向（長尺方向）は、上下方向と、支持部材６１、６３の延伸方向（長尺方向）は、前後方向と、それぞれ略一致する。
【００３１】
支持部材６１は、図２および図３に示すように、略矩形状の平板部材であり、各摺動部材６２に対して略直交姿勢で固定される。支持部材６１は、筐体２１ｂの底部（画像入力部２０閉鎖時において本体部５と隣接する部分）に形成された貫通孔（図示省略）を介して内部空間２５に露出する。
【００３２】
２本の摺動部材６２のそれぞれは、図２および図３に示すように、幅方向（画像入力部２０閉鎖時における前後方向）の断面が略コの字形状の部材である。各摺動部材６２は、筐体２１ｂの底部に形成された貫通孔（図示省略）を介して本体部５側から嵌挿されている。
【００３３】
支持部材６３には、図２および図３に示すように、主として、一方向（前後方向）に延伸する溝部６３ａ（第１導電部材）と、前後方向と略垂直な方向（図２および図３では、略上下方向）に溝部６３ａの開口側端部付近から伸びる平面部６３ｂと、が設けられている。また、図３に示すように、溝部６３ａの両内壁６３ｃには、前後方向に沿って複数の孔部６６が設けられている。
【００３４】
キャリッジ２６ａ、２６ｂのそれぞれは、原稿からの光を反射させるミラー（図示省略）を有しており、受光部２７側（右側）のキャリッジ２６ａには、原稿を照明する光源（図示省略）が設けられている。
【００３５】
また、キャリッジ２６ａ、２６ｂのそれぞれは、各摺動部材６２の摺動面６２ａを摺動可能とされている。ここで、各摺動部材６２は、金属のように樹脂と比較して熱膨張率の小さな材料によって形成されている。したがって、内部空間２５の温度変化にかかわらず、精度良くキャリッジ２６ａ、２６ｂを往復運動させることができ、原稿から良好に画像データを取得することができる。
【００３６】
また、キャリッジ２６ａ、２６ｂは、原稿から受光部２７までの距離が一定となるように左右方向に移動する。すなわち、原稿で反射され、原稿ガラス２２または原稿ガラス２３を透過し、キャリッジ２６ａ、２６ｂで反射されて受光部２７に到達する反射光の光路長は、原稿上の反射位置に関わらず略同一となる。そのため、筐体２１ｂに固定された受光部２７は、原稿の画像データを良好に取得することができる。
【００３７】
受光部２７およびインバータ２８（図２参照）は、支持部材６１につき、筐体２１ｂの底部から内部空間２５側に露出する面に固定されている。受光部２７は、原稿からの反射光２９をレンズ２７ａによって集光させ、ＣＣＤ（ラインセンサ）２７ｂ上に結像させる。これにより、原稿からの反射光は光電変換によって電気信号に変換される。また、インバータ２８は、原稿に照射される光源の発光制御を行う。
【００３８】
記録部３０は、図２に示すように、本体部５につき、操作パネル５０側のユニット室６ａに設けられており、電子写真方式によって静電潜像に基づいたトナー画像を記録紙に記録する。すなわち、記録部３０は、画像入力部２０によって読み取られた画像データに基づいた静電潜像を形成し、静電潜像をトナーによって可視化するとともに、この可視化されたトナー画像を記録紙に転写する画像形成部である。
【００３９】
給紙部４０は、ユニット室６ａ、６ｂの下方に配設されており、記録部３０に対して記録紙を供給する。ここで、給紙部４０は、１つまたは複数の給紙カセットを有しており、給紙部４０から記録部３０には、カセットの数に応じた種類の記録紙が供給される。
【００４０】
操作パネル５０は、画像入力部２０の前面側部に設けられており、画像形成装置１の使用者（以下、単に、「使用者」と呼ぶ）のインタフェースとして使用される。図１に示すように、操作パネル５０は、主として、表示部５１と、操作部５２と、を備える。
【００４１】
表示部５１は、いわゆる液晶ディスプレイによって構成されており、指や専用のペンで画面に触れることにより、画面上の位置を指定することができる「タッチパネル」としての機能を有する。したがって、使用者は、表示部５１に表示された内容に基づき、表示部５１の「タッチパネル」機能を使用した指示を行うことにより、画像形成装置１に対して所定の動作を実行させることができる。このように、表示部５１は、画像形成装置１にデータ入力を可能とする入力部としても使用される。
【００４２】
操作部５２は、複数の操作キー５３を有する入力部である。使用者は、表示部５１の表示内容に基づいた入力作業を行うことにより、画像形成装置１に対して所定の動作を実行させることができる。
【００４３】
制御部９０は、図２に示すように、本体部５につき、操作パネル５０から見て奥側（後ろ側）のユニット室６ｂに設けられている。制御部９０は、複数の信号線によって、原稿搬送部１１、画像入力部２０、記録部３０、給紙部４０、および操作パネル５０と電気的に接続されている。したがって、制御部９０は、原稿搬送部１１、画像入力部２０、記録部３０、および給紙部４０の動作を所定のタイミングで制御することができる。
【００４４】
なお、本実施の形態において、操作パネル５０と制御部９０とを接続する複数の信号線６７は、支持部材６３の溝部６３ａと、ヒンジ３６の上側取付板３６ｂによって囲まれる収納空間６４を経由して配線される。
【００４５】
＜２．ハーネスカバー付近の構成＞
図４は、信号線の配線状況を説明するための図である。また、図５は、シート材６５ａの構成の一例を説明するための図である。ここでは、支持部材６３の溝部６３ａ付近に形成されるハーネスカバー６０について説明する。
【００４６】
ハーネスカバー６０は、図２および図４に示すように、画像入力部２０の下面（すなわち、画像入力部２０側）に設けられている。ハーネスカバー６０には、主として、操作パネル５０側から制御部９０側を接続する複数の信号線６７が配線される。図２および図４に示すように、ハーネスカバー６０は、主として、支持部材６３の溝部６３ａと、ヒンジ３６の上側取付板３６ｂと、２枚のシート材６５ａと、から構成されている。
【００４７】
ここで、図４に示すように、ヒンジ３６の上側取付板３６ｂは、溝部６３ａの開口を閉鎖するように、支持部材６３の平面部６３ｂに取り付けられている。したがって、溝部６３ａ付近には、導電部材によって囲繞され、一方向（前後方向）に延伸する収納空間６４が形成される。そして、溝部６３ａおよび上側取付板３６ｂは、複数の配線を収納する収納部６８として使用される。
【００４８】
袋状部材６５は、絶縁樹脂で形成された複数（本実施の形態では２枚）のシート材６５ａを有する。この複数のシート材６５ａのそれぞれは、略矩形の基部６５ｂから突起しており、前後方向に沿って設けられた複数の突起部６５ｃを有する。すなわち、図５に示すように、突起部６５ｃは、基部６５ｂの幅方向（前後方向と略直交する方向）の両端部から外方に突出する。
【００４９】
ここで、図３に示すように、溝部６３ａの両内壁６３ｃ（すなわち、収納空間６４に面する収納部６８の両内壁６３ｃ）には、前後方向に沿って複数の孔部６６が設けられている。したがって、シート材６５ａの各突起部６５ｃが対応する孔部６６に挿入されことにより、各シート材６５ａは、溝部６３ａ（すなわち、収納部６８の収納空間６４側）に固定される（図４参照）。
【００５０】
このように、袋状部材６５は、溝部６３ａに固定され、前後方向（一方向）に延伸する。また、袋状部材６５の前後方向両端部は開口し、複数の信号線６７は、両開口から袋状部材６５の内側（すなわち、複数のシート材６５ａに挟まれた空間）に挿通され、配線される。
【００５１】
これにより、例えば画像入力部２０や記録部３０で発生し、支持部材６３やヒンジ３６のような導電部材を伝わる静電ノイズは、絶縁樹脂によって形成された袋状部材６５によって遮断される。そのため、ハーネスカバー６０に配線された複数の信号線６７は、静電ノイズの影響を受けず、良好に信号を伝達することができ、制御部９０は、原稿搬送部１１、画像入力部２０、記録部３０、および給紙部４０等の動作を良好に制御することができる。
【００５２】
また、ヒンジ３６の上側取付板３６ｂを支持部材６３の平面部６３ｂに取り付ける場合において、画像形成装置１の組み付けを行う者、または画像形成装置１のメンテナンスを行う者（以下、単に、「作業者」と呼ぶ）は、複数の信号線６７が袋状部材６５によって束ねられ、本体部５上方の画像入力部２０に固定された状態で、作業することができる。そのため、作業者は、複数の信号線６７を上側に持ち上げることなく、画像入力部２０にヒンジ３６を取り付ける作業を行うことができ、取付作業に要する工数を低減することができる。
【００５３】
さらに、ハーネスカバー６０は、ヒンジ３６の回動軸３６ｃ付近に設けられており、回動軸３６ｃ付近に複数の信号線６７を配線することができる。そのため、手前側に設けられた操作パネル５０と、奥側に設けられた制御部９０と、を接続する各信号線の長さを短く設定することができる。その結果、静電ノイズの影響をさらに低減することができる。
【００５４】
＜３．本実施の形態のハーネスカバーおよび画像形成装置の利点＞
以上のように、本実施の形態のハーネスカバー６０は、導電部材によって囲繞された収納空間６４に固定され、絶縁樹脂で形成された袋状部材６５を有しており、各信号線６７は、この袋状部材６５の内側に挿通される。これにより、静電ノイズが支持部材６３やヒンジ３６を伝わる場合であっても、袋状部材６５によって静電ノイズを遮断することができる。そのため、ハーネスカバー６０に配線された信号線６７は、静電ノイズの影響を受けず、良好に信号を伝達することができる。
【００５５】
＜４．変形例＞
以上、本発明の実施の形態について説明してきたが、本発明は上記実施の形態に限定されるものではなく様々な変形が可能である。
【００５６】
本実施の形態において、袋状部材６５は、２枚のシート材６５ａを有するとして説明したが、これに限定されるものでない。例えば、シート材６５ａを３枚以上使用し、シート材６５ａに挟まれた空間に複数の信号線６７を挿通してもよい。これにより、静電ノイズをさらに遮断することができ、各信号線６７上の信号を良好に伝達することができる。
【図面の簡単な説明】
【００５７】
【図１】本実施の形態における画像形成装置の全体構成の一例を示す斜視図である。
【図２】画像入力部を開放した状態の一例を示す斜視図である。
【図３】枠体の構成の一例を示す斜視図である。
【図４】信号線の配線状況を説明するための図である。
【図５】シート材の構成の一例を説明するための断面図である。
【符号の説明】
【００５８】
１  画像形成装置
５  本体
６ａ、６ｂ  ユニット室
１０  原稿押さえ部
１６、３６  ヒンジ
１６ａ、３６ｃ  回転軸
２０  画像入力部
３０  記録部
３６ａ  下側取付板
３６ｂ  上側取付板
４０  給紙部
５０  操作パネル
６０  ハーネスカバー
６１、６３  支持部材
６２  摺動部材
６３ａ  溝部
６４  収納空間
６５  袋状部材
６５ａ  シート材
６５ｂ  基部
６５ｃ  突起部
６６  孔部
６７  信号線
６８  収納部
６９  枠体
【図１】
0004710620.tif 000002
【図２】
0004710620.tif 000003
【図３】
0004710620.tif 000004
【図４】
0004710620.tif 000005
【図５】
0004710620.tif 000006